(57)【要約】【課題】釣針において、より集魚効果、擬餌効果のある釣針を実現することを目的とする。【解決手段】軸部１の先方に湾曲させた先曲げ部２を形成するとともに、軸部１の基端部にチモト３などのハリスの結束部を形成する釣針において、釣針の表面に薄い合成樹脂皮膜４を形成し、その表面にホットスタンプによって任意の色彩や模様を施した箔５を付着させる。釣針の表面に合成樹脂皮膜を形成することによって釣針表面の任意位置にホットスタンプが可能となり、従来にない色彩や模様を施すことができる。釣針の表面に合成樹脂皮膜を形成するには、合成樹脂塗料を薄く塗布することによって実施できる。また、付着させる箔として、ホログラム箔を用いるとより効果的である。【選択図】  図１
2004180558.tif 000002
【特許請求の範囲】
【請求項１】
軸部の先方に湾曲させた先曲げ部を形成する釣針において、釣針の表面に薄い合成樹脂皮膜を形成し、該釣針の表面に形成した合成樹脂皮膜にホットスタンプによって模様や色彩を施した箔を付着させたことを特徴とする釣針。
【請求項２】
釣針の左右両側面の双方もしくはいずれか一方の、軸部から針先に至る全体もしくは一部にホットスタンプを施すことを特徴とする請求項１記載の釣針。
【請求項３】
ホットスタンプによって釣針の表面に付着させる箔がホログラム箔であることを特徴とする請求項１又は２記載の釣針。
【請求項４】
軸部の中間部分の側面に、叩き加工によって軸方向に湾曲する凹面となる扁平部分を形成し、この凹面にホログラム箔を付着させることを特徴とする請求項１記載の釣針。
【請求項５】
軸部の先方に湾曲させた先曲げ部を形成する釣針において、釣針全体の表面に合成樹脂皮膜を形成する工程と、合成樹脂皮膜が形成された釣針表面にホットスタンプによって箔押しする工程とで構成する釣針の製造法。
【請求項６】
ホットスタンプの箔押し手段が、釣針の軸部直径の範囲で弾性変形が可能な押圧部材である請求項５記載の釣針の製造法。
【発明の詳細な説明】
【０００１】
【発明の属する技術分野】
この発明は、集魚効果あるいは擬餌効果のある釣針に関する発明、より詳しくは軸部の先方に湾曲させた先曲げ部を形成する釣針において、釣針そのものを着色あるいは模様付けすることによって擬餌効果を得ることができる、釣針及び釣針の製造法に係る発明である。
【０００２】
【従来の技術】
魚釣の対象魚には、光るものや鮮やかな色彩に反応するものが少なくない。このような魚を釣るために、釣針の一部にビーズなどの擬餌体を取付けることや、釣針全体を鮮やかな色彩に着色することが行なわれている。例えば特許文献１には、鍍金を施した上に赤色の合成樹脂塗料を焼付塗装するものが、特許文献２には、釣針の一部に光輝性着色を施した合成樹脂フィルムを細断して構成した粉状体を接着剤によって貼着する思想が開示されている。さらに、特許文献３には針身を弾性体で被覆する思想や、特許文献４には釣鈎の金属光沢面に光干渉膜を形成する思想がそれぞれ開示されている。
【０００３】
【特許文献１】
実公昭４５−２８２９３号公報（第１頁、第２図）
【特許文献２】
実開昭５９−８３３５２号公報（図）
【特許文献３】
実開昭５６−３９９５９号公報（第１図、第２図）
【特許文献４】
実開昭５０−２３２８０号公報（図）
【０００４】
【発明が解決しようとする課題】
上記、特許文献１に開示されるような着色された釣針や、特許文献３に開示される針身を弾性体で被覆し、あるいは特許文献４に開示されるように釣針の金属光沢面に光干渉膜を形成する釣針は、いずれも釣針の全体を同じ色彩や光沢に仕上げるものであるため、一本の釣針を色彩や模様の点で変化に富んだものとすることができなかった。また、特許文献２に開示されるように、釣針の一部に合成樹脂フィルムを細断した粉状体を接着剤によって貼着するものでは、粉状体が剥がれ易く安定した状態を維持することができないとともに、製造が困難である。上記、従来技術の欠点に鑑み、本発明は釣針表面に、より変化に富んだ色彩や模様を施すことができる釣針及びその製造法を実現するものである。
【０００５】
【課題を解決するための手段】
上記課題を解決するために、本発明では、軸部１の先方に湾曲させた先曲げ部２を形成する釣針において、釣針の表面に薄い合成樹脂皮膜４を形成し、その表面にホットスタンプによって色彩や模様を施した箔５を付着させる。色彩や模様を施した箔５を付着させる部分は、釣針のどの部分であってもよいが、ホットスタンプの作業上、釣針の左右両側面の双方もしくはいずれか一方に施すのが好ましい。このとき、ホットスタンプによって釣針の表面に付着させる箔５がホログラム箔であると、従来の釣針にはない光の変化を実現することができる。一例として、軸部１の中間部分の側面に、叩き加工によって軸方向に湾曲する凹面となる扁平部分を形成し、この凹面の扁平部分にホログラムの箔５を付着させると、小さなホログラムの箔であっても光の反射効果によって、広い角度から視認することができる。
【０００６】
上記釣針を製造するには、釣針全体の表面に合成樹脂皮膜４を形成する工程と、合成樹脂皮膜４が形成された釣針表面にホットスタンプによって箔押しする工程とで実施することができる。ホットスタンプによって箔押しする際、ラバーのように、軸部１の直径の範囲で弾性変形が可能な押圧部材１３で箔押しすると、円形断面あるいは丸みのある変形断面の釣針表面の広い範囲に、ホットスタンプによって箔押しすることができる。
【０００７】
【発明の実施の形態】
以下、本発明に係る釣針及び釣針の製造法の実施形態を、添付の図面に基づいて説明する。
図１は、本発明に係る釣針の実施形態の一例を示す正面図であって、軸部の断面を拡大表示している。図２は、図１とは別の実施形態を示す釣針の側面図である。
【０００８】
図１，図２に示す実施例形態の釣針は、軸部１の先方を湾曲させて先曲げ部２を形成し、先曲げ部２の先端に鋭利な針先７を加工する一般的な釣針である。軸部１の基端部には、結束したハリス９が抜けないようにハリス結束部として、叩き加工によって幅の広いチモト３を形成している。ハリス結束部の形態は、図示例のようなチモト３を形成するものに限らず、例えば軸部１の基端部を湾曲させて結束環を形成するものであってもよい。
【０００９】
図１に示す釣針は、軸部１の断面形状が円形である丸軸の釣針であって、表面全体に薄い合成樹脂皮膜４を形成し、軸部１から針先７に至る釣針の左右側面にそれぞれ、合成樹脂皮膜４の上にホットスタンプによって各種の模様や色彩を施した箔５（５−１，５−２）を付着させ、色彩豊かな釣針を実現している。釣針の左右両側面には、同じ模様や色彩の箔５を付着させるものであっても良いが、異なる色彩や模様の箔５を付着させ、全体としてより集魚効果や擬餌効果が大きなものとすることができる。
【００１０】
図２に示す実施形態の釣針は、釣針の軸部１から針先７に至る側面全体に箔５を付着させるのではなく、軸部１と針先７から先曲げ部２に至る針先部分の二箇所に箔５を付着させ、軸部１から先曲げ部２の中間部分は、箔の付着を省略している。また、軸部１に付着させる箔５（５−１）と、針先部分に付着させる箔５（５−２）は同じものであってもよいが、異なるものとすることによって変化をもたせている。すなわち、軸部１は箔５（５−１）の色彩や模様であって、針先部分は箔５（５−２）の色彩や模様である。箔５を省略した中間部分は合成樹脂皮膜４の色彩が現れるため、全体として三種類の色彩もしくは模様の釣針となる。箔５を省略した部分は、合成樹脂皮膜４の色彩が現れるが、例えば合成樹脂皮膜４が無色透明である場合は釣針の地色があらわれる。このように表面に付着させる箔５は、釣針の任意の場所に、任意の色彩や模様の箔５を付着させることができるものである。
【００１１】
ホットスタンプと呼ばれる箔押し加工は、通常合成樹脂材料の表面に金属箔や顔料箔などの箔を付着させて、文字や模様を記載するために利用される技術である。したがって、釣針のような金属表面に箔を付着させることはできない。しかしながら、本発明では金属材料である釣針の表面に薄い合成樹脂皮膜４を形成することによって、ホットスタンプが可能となった。このとき、表面に形成する合成樹脂皮膜４は、厚いものである必要はなく、極薄い合成樹脂皮膜４であればホットスタンプを施すことができる。ホットスタンプが可能となるように、釣針の表面に薄い合成樹脂皮膜４を形成するには、合成樹脂塗料を塗布することによって実現することができる。例えば、バレル塗装によって厚さ数ミクロン程度の薄い合成樹脂皮膜４を形成することができる。
【００１２】
釣針表面に付着させる箔５は、ホットスタンプとして利用される箔であれば、各種色彩や模様のものを利用することが可能である。しかしながら、魚が反応する擬餌の形状や色彩は、魚種やそのときの各種条件によって異なることは釣り人が多々経験するところである。そこで、釣針の表面に付着させる箔５をホログラム箔とすれば、従来にない輝きを伴う釣針としてより効果的である。ホログラム箔では、分光された各種の色がホログラム箔のいずれかの部分に現れ、特定の色（特定の波長の色）にのみ反応する魚種、釣況であっても集魚効果、擬餌効果を有することができる。
【００１３】
釣針の表面にホットスタンプで箔４を付着させることによって、着色あるいは模様付けする釣針は、これを通常の餌釣り用の釣針として利用することもできるが、擬餌針として利用するのがより効果的である。図３にはサビキ仕掛け用の釣針として本発明に係る釣針を使用した状態を示している。図３に示す実施形態のサビキ仕掛けは、軸部１の上端部分にビニール片やスキンあるいは魚皮などの擬餌体８の一端を、軸部１を抱き込むようにして固定したものである。この実施形態の擬餌針は、主として鰯や鯵、鯖を釣る場合に利用される。
【００１４】
図３に示すサビキ仕掛けに利用した釣針は、先曲げ部及び針先部分に箔を付着させることによって着色もしくは模様付けしている。これにより、擬餌体８から突出する部分が着色されていることになるため、擬餌体８と釣針の色彩もしくは模様の組み合わせ全体で一つの擬餌としてデザインし、より大きな擬餌効果を発揮する、効果的なサビキ仕掛け用の擬似針を実現することが可能となるものである。その他、擬餌体との組み合わせによって構成する擬餌針用の釣針として利用し、擬餌体と統一のとれた色彩や模様付けをすることによって、より効果的な擬餌針を実現することができる。
【００１５】
図４には、生き餌をチョンガケ状態で使用するもの、もしくは擬餌としてワームを利用する実施形態を示している。図４に示す実施形態の釣針は、軸部１と先曲げ部２よりも先方とに分け、それぞれに異なる色彩もしくは模様の箔を付着させている。このようなものでは、先曲げ部２に付着させる箔５（５−２）の色彩や模様を餌  （ワーム）１０との組み合わせでより効果的な擬餌効果のあるものとする。また、軸部１を前記箔５（５−２）や餌１０との組み合わせによって、より擬餌効果の高い色彩や模様を選択することができるものである。
【００１６】
図５ないし図８に示す実施形態は、軸部１の中間部分に左右両側から突弧面状のプレス型によって叩き加工を施し、扁平部１１を形成したものである。叩き加工によって形成される扁平部１１の左右両側面には、楕円もしくは笹の葉形状の凹弧面１２が形成されるため、この凹弧面１２に箔５を付着させる。叩き加工によって形成する凹弧面１２は、軸方向にのみ湾曲し軸と直交する方向に対しては湾曲しない二次曲面として形成されるため、凹弧面１２に、例えば金属製の押し型によって箔５を確実に付着させることができる。
【００１７】
凹弧面１２に付着させる箔５は、顔料による各種色彩の箔や金属箔であってもよいが、これをホログラム箔とすれば、小さなホログラム箔でより光の効果に優れたものとすることができる。すなわち、ホログラム箔で反射される光は分光されて虹のように色鮮やかに目に映るものであるが、ホログラム箔が平面であると反射される光の届く範囲が限定的となり、比較的狭い範囲でしか反射光を視認することができない。しかしながら、図示実施形態のように、凹弧面１２に付着させたホログラム箔は、広い角度から視認することができる。換言すれば、広い範囲に光が反射されるため、より大きな擬餌効果や集魚効果を期待することができるものである。
【００１８】
図５に示す実施形態の釣針は、図８に示すように餌１０をチョンがけで使用するような餌釣用の釣針として使用することができるとともに、図７に示すように擬餌体８を取付けて擬餌針用の釣針として使用する場合にも有効である。図８に示す実施形態は、サビキ仕掛けに利用するものであって、軸部１を抱き込むようにして擬餌体８が固定される。そして、軸部１に貼着したホログラム箔は、擬餌体８から見え隠れするため、かえって魚の興趣をそそる可能性があり、擬餌体８そのものの効果に加え、ホログラム箔との組み合わせによって、全体として擬餌効果あるいは集魚効果が促進される。
【００１９】
本発明に係る釣針を製造するには、前処理工程として図９（ａ）に示すように釣針Ａの表面に合成樹脂剤Ｂ、具体的には合成樹脂塗料を塗布することによって釣針全体の表面に合成樹脂皮膜４を形成する。続いて、図９（ｂ），図９（ｃ）に示すように、合成樹脂皮膜４が形成された釣針の表面にホットスタンプによって箔押しする工程によって製造することができる。箔押し工程は、図９（ｂ）に示すように平板Ｃ上に合成樹脂皮膜を形成した釣針Ａを置き、その上からホットスタンプ箔６を挟んで押圧部材１３で押圧すると、ホットスタンプ箔６の箔５を釣針表面に付着（転写）させることができる。押圧部材１３は、加熱手段（図示していない）によって加熱されている。
【００２０】
ホットスタンプ箔６を挟んで釣針の表面に箔押しするに際し、押圧部材１３をラバーのように押圧力によってある程度弾性変形が可能な性状、具体的には釣針Ａの軸径の範囲で変形可能な押圧部材を利用することによって、図９の（ｃ）に示すように湾曲する釣針表面の広い範囲に箔押しすることが可能となり、図９（ｄ）に示すように円形断面の釣針の片側面に箔５を付着させることができる。この方法によって、軸部１から針先７までの任意の範囲において、一回の工程によって釣針の片側面に箔５を付着させることができる。したがって、片側面にホットスタンプによって箔押しした釣針を反転させ、再度ホットスタンプによって箔押しすることによって、図１に拡大断面で示すように釣針の両側面に箔を付着させることができる。この場合に、釣針の左右両側面に付着させる箔は同じ色彩や模様のものであってもよいが、右側面に付着させる箔５（５−１）と、左側面に付着させる箔５（５−２）を異なる種類のものとすることによって、各種の色彩や模様の組み合わせの釣針を実現することができる。
【００２１】
釣針の表面を着色や各種の処理を施すことは従来から行なわれているが、従来の釣針は表面全体が同じ状態に処理されるものである。これに対し、本発明のようにホットスタンプで箔押しする場合は、釣針の任意の部分に種々の模様や多彩な色彩の箔を付着させることができ、従来になかった模様の釣針を実現できることになる。また、ホットスタンプによって箔５を付着させる範囲は、押圧部材１３の形状や大きさによって自由に選択することができる。ホットスタンプによって箔押しする範囲、あるいは箔押しの態様（例えば縞模様に箔押しする）は、押圧部材の形状によって決定することができる。
【００２２】
図１及び図２には、円形断面の釣針の実施形態を示しているが、釣針には図１０に示すように左右両側面に叩き加工を施し、平坦部分を形成するものがある。このようなものにおいては、押圧部材１３として平面的な金属の押し型を利用することもできる。すなわち、ラバーのように弾性変形が可能な押圧部材を利用してホットスタンプを行なうと、図１０の（ａ）に示すように箔の一部が正背面にも多少付着する。しかしながら、変形しない押圧部材を使用すると、図１０の（ｂ）に示すように、左右両側の平面にのみ箔５を付着させることができる。この選択は、釣針の目的、用途によって使い分ければよい。
【００２３】
釣針の左右両側面からのホットスタンプでは、弾性変形をする押圧部材を利用しても正背面に箔が付着されない部分を生じる。この箔が付着しない部分を一つの色彩や模様として利用し、左右両側面に付着させる箔との組み合わせによって全体として擬餌をデザインすることができる。一方で、釣針の側面に付着させる箔の模様や色彩と組み合わせて、あるいは単独で釣針の背面にホットスタンプを施すことによって擬餌効果のある釣針とすることもできる。釣針の背面にホットスタンプによって箔５を付着させるには、図１１に示すように押圧部材として回転ローラ１４を利用することによって実現することができる。すなわち、ホットスタンプ箔６を間に挟んで、回転ローラ１４を釣針Ａの背面に押圧し、回転ローラ１４を回転させることによって矢印で示すように釣針の押圧位置を移動し、ホットスタンプ箔６の箔５が釣針の背面に付着される。
【００２４】
以上述べたように、本発明は釣針の表面に薄い合成樹脂皮膜４を形成し、その表面にホットスタンプによって箔５を付着させるものである。合成樹脂皮膜４及びホットスタンプによって付着させる箔５は、いずれも薄いものであって釣針の機能、例えば鋭利さに悪影響を及ぼすものではなく、むしろ金属の釣針表面を保護する機能や防錆効果を有するものである。しかしながら、特別に金属の鋭利な針先を強調するような場合や、釣針の一部に金属そのものを露出させる必要がある場合は、針先その他、所定箇所の合成樹脂皮膜（塗装）の形成を省略することができる。合成樹脂皮膜の形成を省略した部分は、ホットスタンプによって箔を付着させることができないため、必然的に金属表面が露出することになる。このように、箔を付着させない部分の存在も、擬餌針としての釣針の模様、色彩の一部として変化の一つとして活用することが可能である。
【００２５】
【発明の効果】
請求項１記載の本発明釣針によれば、釣針の任意の表面に、ホットスタンプによって任意の箔を付着させることで、従来の着色した釣針のように単純な態様ではなく、任意の位置に任意の着色や模様付けをした、擬餌効果の高い釣針を実現することができる。
【００２６】
請求項２記載の発明によれば、軸部の先方に湾曲させた先曲げ部を形成する釣針の形状を考慮して、釣針を平板上に置いた状態で容易にホットスタンプによって箔を付着させることができる。
【００２７】
請求項３記載の発明によれば、釣針表面に付着させる箔をホログラム箔とすることによって光の反射効果を助長し、より擬餌効果や集魚効果の高い釣針を実現することができる。
【００２８】
請求項４記載の発明によれば、ホノグラム箔の反射光によって擬餌効果、集魚効果の大きな釣針を実現することができる。そして、このホノグラム箔は、凹弧面状の二次曲面に貼着されるため加工が容易であるとともに、小さなホノグラム箔であっても広い範囲から視認することができ、より大きな擬餌効果や集魚効果を期待することができる。
【００２９】
請求項５記載の本発明釣針の製造法によれば、従来はホットスタンプによって箔を付着させることができなかった釣針の表面に、ホットスタンプによって自由に箔を付着させることができる。そして、ホットスタンプ箔の選択によって従来行なうことができなかった自由な着色や模様付けを行なう釣針を容易に製造することができる。
【００３０】
請求項６記載の発明によれば、箔押し手段として弾性変形が可能な押圧部材を利用することによって、円形断面など表面が平面でない小さな釣針の表面に、ホットスタンプによって確実に、しかもなるべく広い範囲に箔を付着させることができる。
【図面の簡単な説明】
【図１】本発明に係る釣針であって、軸部の断面を拡大表示した釣針全体の正面図、
【図２】本発明の別の実施形態を示す釣針全体の側面図、
【図３】本発明に係る釣針をサビキ仕掛けに利用する使用状態を示す側面図、
【図４】本発明に係る釣針を餌釣りに使用する状態を示す側面図、
【図５】本発明に係る釣針の、さらに別の実施形態を示す釣針全体の側面図、
【図６】図５に示す釣針の背面図、
【図７】図５に示す釣針をサビキ仕掛けに利用した状態の側面図、
【図８】図５に示す釣針を餌釣りに使用する状態を示す側面図、
【図９】本発明に係る釣針の製造方法を工程順にあらわした流れ図、
【図１０】丸軸以外の変形断面釣針の一例を示す釣針であって、側面に箔を付着させた状態を示す拡大断面図、
【図１１】本発明に係る釣針の製造方法であって、釣針の背面に箔を付着させる実施形態を示す側面図。
【符号の説明】
１…軸部、  ２…先曲げ部、  ３…チモト、  ４…合成樹脂皮膜、  ５…箔、  ６…ホットスタンプ箔、  ７…針先、  ８…擬餌体、  ９…ハリス、  １０…餌、
１１…扁平部、  １２…凹弧面、  １３…押圧部材、  １４…回転ローラ。
【図１】
2004180558.tif 000003
【図２】
2004180558.tif 000004
【図３】
2004180558.tif 000005
【図４】
2004180558.tif 000006
【図５】
2004180558.tif 000007
【図６】
2004180558.tif 000008
【図７】
2004180558.tif 000009
【図８】
2004180558.tif 000010
【図９】
2004180558.tif 000011
【図１０】
2004180558.tif 000012
【図１１】
2004180558.tif 000013